(57)【要約】【課題】受信中の放送番組と同一の放送番組を放送中の代替局が存在しない場合に、ユーザの満足度低下を抑制すること。【解決手段】実施形態に係る放送受信装置は、受信部と、探索部と、放送情報取得部と、判定部と、選択部とを備える。受信部は、放送局から放送を受信する。探索部は、受信部によって選局中の放送局以外に選局可能な代替局を探索する。放送情報取得部は、選局中の放送局の放送に関する放送情報および探索部によって探索される代替局の放送に関する放送情報を取得する。判定部は、受信部によって受信される放送の受信品質の良否を判定する。選択部は、判定部によって受信品質が不良になると判定される場合に、放送情報取得部によって取得される放送局の放送に関する放送情報と代替局の放送に関する放送情報とに共通する事項の数に基づいて、代替局を少なくとも１つ選択する。【選択図】図１
2018037774.tif 000002
【特許請求の範囲】
【請求項１】
放送局から放送を受信する受信部と、
前記受信部によって選局中の放送局以外に選局可能な代替局を探索する探索部と、
前記選局中の放送局の放送に関する放送情報および前記探索部によって探索される代替局の放送に関する放送情報を取得する放送情報取得部と、
前記受信部によって受信される前記放送の受信品質の良否を判定する判定部と、
前記判定部によって前記受信品質が不良になると判定される場合に、前記放送情報取得部によって取得される前記放送局の放送に関する放送情報と前記代替局の放送に関する放送情報とに共通する事項の数に基づいて、前記代替局を少なくとも１つ選択する選択部と
を備えることを特徴とする放送受信装置。
【請求項２】
前記放送情報取得部は、
前記放送情報として、少なくとも、放送番組を示す情報および放送内容のジャンルを示す情報を取得する
ことを特徴とする請求項１に記載の放送受信装置。
【請求項３】
前記放送情報取得部は、
放送媒体が前記選局中の放送局と同一の前記代替局の放送に関する放送情報と、放送媒体が前記選局中の放送局とは異なる前記代替局の放送に関する放送情報とを取得する
ことを特徴とする請求項１または請求項２に記載の放送受信装置。
【請求項４】
前記選択部によって選択される前記代替局に関する情報の提示を行う提示部と
を備えることを特徴とする請求項１〜３のいずれか一つに記載の放送受信装置。
【請求項５】
前記提示部は、
前記共通する事項の数が多い放送を放送中の前記代替局に関する情報の提示を優先的に行う
ことを特徴とする請求項４に記載の放送受信装置。
【請求項６】
前記提示部は、
前記判定部によって前記受信品質が不良になったと判定された場合に、前記提示を開始する
ことを特徴とする請求項４または請求項５に記載の放送受信装置。
【請求項７】
前記選局中の放送局を前記代替局へ切り替える切替部
をさらに備え、
前記提示部は、
前記放送情報取得部によって取得された前記放送情報に基づき、前記選局中の放送局および前記代替局の放送番組が同一と判定する場合には、前記提示を行わずに前記切替部によって放送局を切り替えさせ、前記選局中の放送局および前記代替局の放送番組が異なると判定する場合には、前記提示を行う
ことを特徴とする請求項４〜６のいずれか一つに記載の放送受信装置。
【請求項８】
音声による前記代替局の選択操作を受ける音声受付部
をさらに備え、
前記切替部は、
前記音声受付部によって前記選択操作が受付けられる場合に、前記選局中の放送局を前記代替局へ切り替える
ことを特徴とする請求項７に記載の放送受信装置。
【請求項９】
前記提示部は、
音声によって前記提示を行う
ことを特徴とする請求項４〜７のいずれか一つに記載の放送受信装置。
【請求項１０】
前記選局中の放送局の放送エリアを示すエリア情報を取得するエリア情報取得部と、
当該放送受信装置の現在位置を示す位置情報を取得する位置情報取得部と
をさらに備え、
前記探索部は、
前記位置情報取得部によって取得される前記位置情報が示す前記現在位置が、前記エリア情報取得部によって取得されるエリア情報が示す放送エリアの端から所定距離未満となる位置まで接近する場合に、前記代替局の探索を開始する
ことを特徴とする請求項１〜９のいずれか一つに記載の放送受信装置。
【請求項１１】
前記判定部は、
前記受信部によって受信される前記放送が重畳される放送波の受信電界強度が所定の閾値未満である場合に、受信品質が不良になると判定し、前記放送波の受信電界強度が所定の閾値以上である場合に、受信品質が良好であると判定する
ことを特徴とする請求項１〜９のいずれか一つに記載の放送受信装置。
【請求項１２】
放送局から放送を受信する受信工程と、
前記受信工程によって選局中の放送局以外に選局可能な代替局を探索する探索工程と、
前記選局中の放送局の放送に関する放送情報および前記探索工程によって探索される代替局の放送に関する放送情報を取得する放送情報取得工程と、
前記受信工程によって受信される前記放送の受信品質の良否を判定する判定工程と、
前記判定工程によって前記受信品質が不良になると判定される場合に、前記放送情報取得工程によって取得される前記放送局の放送に関する放送情報と前記代替局の放送に関する放送情報とに共通する事項の数に基づいて、前記代替局を少なくとも１つ選択する選択工程と
を含むことを特徴とする放送受信方法。
【発明の詳細な説明】
【技術分野】
【０００１】
本発明は、放送受信装置および放送受信方法に関する。
【背景技術】
【０００２】
従来、移動体に搭載される放送受信装置として、移動体の移動に伴って放送番組の受信品質が不良になると、受信中の放送番組と同一の放送番組を異なる周波数で放送する代替局を探索して代替局の周波数に切り替えるものがある（例えば、特許文献１参照）。
【先行技術文献】
【特許文献】
【０００３】
【特許文献１】特開２０１２−０１５５８５号公報
【発明の概要】
【発明が解決しようとする課題】
【０００４】
しかしながら、放送受信装置は、受信中の放送番組と同一の放送番組を異なる周波数で放送する代替局が存在しない場合に、代替局の探索を継続すると、視聴不可能な期間が続き、ユーザの満足度低下を招くおそれがある。
【０００５】
本発明は、上記に鑑みてなされたものであって、受信中の放送番組と同一の放送番組を放送中の代替局が存在しない場合に、ユーザの満足度低下を抑制することができる放送受信装置および放送受信方法を提供することを目的とする。
【課題を解決するための手段】
【０００６】
実施形態に係る放送受信装置は、受信部と、探索部と、放送情報取得部と、判定部と、選択部とを備える。受信部は、放送局から放送を受信する。探索部は、前記受信部によって選局中の放送局以外に選局可能な代替局を探索する。放送情報取得部は、前記選局中の放送局の放送に関する放送情報および前記探索部によって探索される代替局の放送に関する放送情報を取得する。判定部は、前記受信部によって受信される前記放送の受信品質の良否を判定する。選択部は、前記判定部によって前記受信品質が不良になると判定される場合に、前記放送情報取得部によって取得される前記放送局の放送に関する放送情報と前記代替局の放送に関する放送情報とに共通する事項の数に基づいて、前記代替局を少なくとも１つ選択する。
【発明の効果】
【０００７】
実施形態に係る放送受信装置および放送受信方法は、受信中の放送番組と同一の放送番組を放送中の代替局が存在しない場合に、ユーザの満足度低下を抑制することができる。
【図面の簡単な説明】
【０００８】
【図１】図１は、実施形態に係る放送受信方法の説明図である。
【図２】図２は、実施形態に係る放送受信装置を示す機能ブロック図である。
【図３】図３は、実施形態に係る放送受信装置による代替局の探索タイミングおよび提示タイミングの一例を示す説明図である。
【図４】図４は、実施形態に係る放送受信装置が取得する放送情報の一例を示す説明図である。
【図５】図５は、実施形態に係る放送受信装置が取得する放送情報の一例を示す説明図である。
【図６】図６は、実施形態に係る放送受信装置による代替局の提示態様および放送局の切り替え態様の一例を示す説明図である。
【図７】図７は、実施形態に係る放送受信装置が実行する処理を示すフローチャートである。
【発明を実施するための形態】
【０００９】
以下に添付図面を参照して、実施形態に係る放送受信装置および放送受信方法について詳細に説明する。なお、この実施形態により本発明が限定されるものではない。以下では、実施形態に係る放送受信装置が車両に搭載される場合を例に挙げて説明するが、実施形態に係る放送受信装置は、車両以外の移動体に搭載されてもよい。また、実施形態に係る放送受信装置は、放送受信機能を備えたスマートフォンやタブレット型端末等の可搬型の情報処理装置に搭載されてもよい。
【００１０】
まず、図１を参照し、実施形態に係る放送受信装置が行う放送受信方法について説明する。図１は、実施形態に係る放送受信方法の説明図である。図１に示すように、例えば、ある地域内に第１放送局Ａ１、第２放送局Ａ２、および第３放送局Ｂ１がある場合、放送局毎に放送エリアが存在する。ここでの放送エリアは、放送局毎に放送受信装置が放送を受信可能なエリアのことである。
【００１１】
第１放送局Ａ１の放送エリアＡ１１は、第１放送局Ａ１を中心とする所定距離圏内の領域となる。第２放送局Ａ２の放送エリアＡ２１は、第２放送局Ａ２を中心とする所定距離圏内の領域となる。第３放送局Ｂ１の放送エリアＢ１１は、第３放送局Ｂ１を中心とする所定距離圏内の領域となる。そして、第１放送局Ａ１の放送エリアＡ１１、第２放送局Ａ２の放送エリアＡ２１、および第３放送局Ｂ１の放送エリアＢ１１は、一部重複することがある。
【００１２】
ここで、例えば、第１放送局Ａ１は、Ａネットワークという放送系列に属しており、ＡＡＡニュースという番組を放送している。第２放送局Ａ２は、Ａネットワークという放送系列に属しており、ＡＸＡニュースという番組を放送している。第３放送局Ｂ１は、Ｂネットワークという放送系列に属しており、ドラマＸという番組を放送している。なお、ここでの放送系列は、同一のキー局から配給される番組を放送する放送ネットワークのことである。
【００１３】
このような状況で、放送受信装置は、例えば、第１放送局Ａ１を選局中に車両１００が放送エリアＡ１１の中央付近から放送エリアＡ１１の端付近まで走行すると、受信中の放送の受信品質が劣化することがある。そして、放送受信装置は、その後、車両１００が走行を続けて放送エリアＡ１１の圏外へ出ると、受信中の放送を受信できなくなる。
【００１４】
ただし、放送受信装置は、現在位置が第１放送局Ａ１の放送エリアＡ１１の端付近であっても、現在位置が他の放送局の放送エリアと重複する位置であれば、他の放送局から放送を受信することが可能である。
【００１５】
このとき、放送受信装置は、受信中の番組と同一の番組を他の放送局が放送していれば、同一の番組を放送中の他の放送局に関する情報をユーザへ提示したり、同一の番組を放送中の他の放送局を選局したりすることでユーザの満足度低下を防止することができる。
【００１６】
しかしながら、放送受信装置は、受信中の番組と同一の番組を放送中の他の放送局が存在しない場合、同一の番組を放送中の他の放送局だけを探索し続けると、視聴不可能な期間が続くため、ユーザの満足度低下を招く。また、かかる場合に、放送受信装置は、受信中の番組とは一切関連性がなく、ユーザの趣向に合わない番組を放送中の放送局を選局すると、ユーザの満足度低下を招くおそれがある。
【００１７】
そこで、放送受信装置は、受信中の放送の受信品質が劣化する場合に、受信中の番組と同一の番組を放送中の放送局を探索するが、そのような放送局がなければ、受信中の放送と関連性の高い番組を放送中の代替局を探索して、ユーザへ提示する。
【００１８】
具体的には、放送受信装置は、受信部と、探索部と、放送情報取得部と、判定部と、提示部とを備える。受信部は、放送局から放送を受信する。探索部は、受信部によって選局中の放送局以外に選局可能な代替局を探索する。
【００１９】
放送情報取得部は、選局中の放送局の放送に関する放送情報および探索部によって探索される代替局の放送に関する放送情報を取得する。判定部は、受信部によって受信される放送の受信品質の良否を判定する。
【００２０】
提示部は、判定部によって受信品質が不良になると判定される場合に、放送情報取得部によって取得される放送局の放送に関する放送情報と代替局の放送に関する放送情報とに共通する事項の数に基づいて、代替局に関する情報の提示を行う。
【００２１】
例えば、図１に示す状況の場合、放送受信装置は、まず、第１放送局Ａ１からＡＡＡニュースを受信している。その後、放送受信装置は、車両１００が図１に太線矢印で示す方向へ移動し、第１放送局Ａ１の放送エリアＡ１１の端に近づくと、第１放送局Ａ１以外に選局可能な代替局を探索する。
【００２２】
ここでは、第２放送局Ａ２および第３放送局Ｂ１という２つの代替局が存在する。そこで、放送受信装置は、選局中の第１放送局Ａ１の放送に関する放送情報として、例えば、第１放送局Ａ１が属する放送系列と放送番組を取得する。なお、放送情報は、放送の搬送波となる放送波に重畳されている情報である。
【００２３】
さらに、放送受信装置は、代替局となりうる第２放送局Ａ２および第３放送局Ｂ１の放送に関する情報として、それぞれの放送局から放送系列と放送番組とを取得し、取得した各放送情報を比較して、共通する事項を抽出する。
【００２４】
第１放送局Ａ１の放送情報および第２放送局Ａ２の放送情報には、放送系列が共にＡネットワークという１つの共通する事項が含まれている。一方、第１放送局Ａ１の放送情報および第３放送局Ｂ１の放送情報には、共通する事項が含まれていない。
【００２５】
そこで、放送受信装置は、第２放送局Ａ２および第３放送局Ｂ１のうち、放送情報に含まれる共通する事項の数が多い、第２放送局Ａ２を代替局として決定する。そして、放送受信装置は、例えば、「放送エリアが変わります！Ａネットワークの放送を視聴可能です。チャンネルを切り替えますか？」という音声メッセージを出力することによって、ユーザへ代替局の提示を行う。
【００２６】
これにより、ユーザは、第２放送局Ａ２を選局することによって、Ａネットワークに属する放送局の放送を継続して視聴することができる。このとき、第２放送局Ａ２で放送中のＡＸＡニュースと、第１放送局Ａ１で放送中のＡＡＡニュースとは、番組名が異なるが、キー局が同一であるため、例えば、ローカルニュースが放送される時間帯以外は、同一の全国ニュースを報じる可能性が高い。これにより、放送受信装置は、受信中の放送番組と同一の放送番組を放送中の代替局が存在しない場合であっても、ユーザの満足度低下を抑制することができる。
【００２７】
次に、図２を参照し、実施形態に係る放送受信装置１の構成について説明する。図２は、実施形態に係る放送受信装置１を示す機能ブロック図である。放送受信装置１は、車両１００に搭載されて地上波デジタルテレビジョン（以下、「テレビ」と記載する）放送、ＦＭ（Frequency  Modulation）ラジオ放送、およびＡＭ（Amplitude  Modulation）ラジオ放送を受信する装置である。以下、ＦＭラジオ放送およびＡＭラジオ放送を総称してラジオ放送という。
【００２８】
図２に示すように、放送受信装置１は、アンテナ２１，２２、出力装置３、ナビゲーション装置４、およびマイク５に接続される。各アンテナ２１，２２は、テレビ放送およびラジオ放送の放送波を受信する。アンテナ２１，２２によって受信される放送波は、放送受信装置１へ入力される。
【００２９】
出力装置３は、ディスプレイ３１およびスピーカ３２を含む。ディスプレイ３１は、例えば、タッチパネル機能を備えたＴＦＴ（Thin  Film  Transistor）液晶表示装置である。ディスプレイ３１は、放送受信装置１から入力されるテレビ放送の映像や、ナビゲーション装置４から入力される車両１００の現在位置を示す画像、車両１００の走行経路を案内する案内画像等を表示する。
【００３０】
また、ディスプレイ３１は、放送受信装置１による放送の受信エリアが変わる場合に、選局中の放送局以外に選局可能な代替局を示すテキスト情報等のポップアップ表示を行うこともできる。スピーカ３２は、放送受信装置１から入力されるテレビ放送およびラジオ放送の音声、およびナビゲーション装置４から入力される音声を出力する。
【００３１】
ナビゲーション装置４は、地図情報を記憶しており、地図情報とＧＰＳ（Global  Positioning  System）を使用して、車両１００の現在位置から入力される目的地までの経路案内を行う装置である。ナビゲーション装置４は、車両１００の現在位置および目的地までの経路案内を示す画像情報および音声を出力装置３へ出力する。
【００３２】
また、ナビゲーション装置４は、地図情報に含まれる複数の放送局の位置および各放送局の放送エリアを示すエリア情報を記憶している。さらに、ナビゲーション装置４は、ＣＤ（Compact  Disc）およびＤＶＤ（Digital  Versatile  Disc）を再生する機能を備える。そして、ナビゲーション装置４は、ＣＤを再生する場合に、ＣＤに記録された音声を出力装置３へ出力し、ＤＶＤを再生する場合に、ＤＶＤに記録された映像および音声を出力装置３へ出力する。
【００３３】
なお、ナビゲーション装置４は、ＵＳＢ（Universal  Serial  Bus）ポートを備えており、ＵＳＢポートに接続される各種メディアから入力される映像や音声を出力装置３へ出力することも可能である。マイク５は、ユーザが発する音声を電気信号に変換して放送受信装置１へ出力する。
【００３４】
放送受信装置１は、例えば、ＣＰＵ（Central  Processing  Unit）、ＲＯＭ（Read  Only  Memory）、ＲＡＭ（Random  Access  Memory）、入出力ポートなどを有するマイクロコンピュータや各種の回路を含む。
【００３５】
放送受信装置１は、ＣＰＵがＲＯＭに記憶された放送受信プログラムを、ＲＡＭを作業領域として使用して実行することにより機能する複数の処理部を備える。具体的には、放送受信装置１は、受信部１１、エリア情報取得部１２、位置情報取得部１３、探索部１４、判定部１５、放送情報取得部１６、提示部１７、音声受付部１８、切替部１９、選択部２０を備える。
【００３６】
なお、放送受信装置１が備える各処理部は、それぞれ一部または全部がＡＳＩＣ（Application  Specific  Integrated  Circuit）やＦＰＧＡ（Field  Programmable  Gate  Array）等のハードウェアで構成されてもよい。
【００３７】
受信部１１は、アンテナ２１を介して、テレビ放送またはラジオ放送の放送波を受信する処理部である。受信部１１は、ユーザによって選局される放送局から放送波を受信し、受信した放送波に重畳された映像、音声、および字幕用のテキスト情報等を復調して出力装置３へ出力する。
【００３８】
また、受信部１１は、受信する放送波を判定部１５および放送情報取得部１６へ出力する。なお、ユーザは、例えば、マイク５を使用した音声入力やディスプレイ３１のタッチ操作によって、所望の放送局を選択することができる。
【００３９】
エリア情報取得部１２は、地図情報に含まれる複数の放送局の位置および各放送局の放送エリアを示すエリア情報をナビゲーション装置４から取得して探索部１４へ出力する処理部である。位置情報取得部１３は、車両１００の現在位置、すなわち、放送受信装置１の現在位置を示す位置情報をナビゲーション装置４から取得して探索部１４へ出力する処理部である。
【００４０】
探索部１４は、受信部１１によって選局中の放送局以外に選局可能な他の放送局である代替局を探索する処理部である。探索部１４は、位置情報取得部１３から入力される位置情報が示す現在位置が、エリア情報取得部１２から入力されるエリア情報が示す放送エリアの端から所定距離未満となる位置まで接近したか否かを判定し、接近したと判定する場合に代替局の探索を開始する。
【００４１】
また、探索部１４は、代替局の探索を開始する場合に、その旨を示す情報を判定部１５へ出力する。そして、探索部１４は、代替局を検出すると、代替局から放送波を受信し、受信した所定時間分の放送波を放送情報取得部１６へ出力する。
【００４２】
その後、探索部１４は、さらに他の代替局の探索を継続し、他の代替局を検出する度に、他の代替局から放送波を受信し、受信した所定時間分の放送波を順次放送情報取得部１６へ出力する。
【００４３】
放送情報取得部１６は、受信部１１および探索部１４から入力される各放送波から、各放送に関する放送情報を取得して選択部２０へ出力する処理部である。なお、放送情報取得部１６が取得する放送情報の一例については、図４および図５を参照して後述する。
【００４４】
判定部１５は、受信部１１から入力される受信中の放送波に重畳された放送の受信品質の良否を判定する処理部である。判定部１５は、放送波の受信電界強度が所定の閾値未満であれば、受信品質が不良になると判定し、放送波の受信電界強度が所定の閾値以上であれば、受信品質が良好であると判定する。
【００４５】
かかる判定部１５は、探索部１４から代替局の探索を開始したことを示す情報が入力される場合に、受信品質の良否判定を開始する。そして、判定部１５は、受信品質が不良になると判定した場合に、その旨を示す情報を選択部２０へ出力する。
【００４６】
選択部２０は、判定部１５から受信中の放送波の受信品質が不良になることを示す情報が入力される場合に、選局中の放送局以外で選局可能な他の放送局である代替局を選択する処理部である。
【００４７】
かかる選択部２０は、選局可能な他の放送局のうち、放送情報取得部１６から入力される選局中の放送局の放送に関する放送情報と共通する事項の数が多い放送局から順に、少なくとも１つ以上の放送局を代替局として選択する。
【００４８】
そして、選択部２０は、選択した各代替局が放送中の放送に関する放送情報を提示部１７へ出力する。提示部１７は、選択部２０から入力される代替局が放送中の放送に関する放送情報を出力装置３へ出力してユーザへ提示する処理部である。
【００４９】
かかる提示部１７は、受信中の放送の受信品質が不良になる場合に、受信中の番組と同一の番組を放送している他の放送局があれば、その放送局を代替局としてユーザへ提示することができる。また、提示部１７は、受信中の番組と同一の番組を放送している他の放送局がなくても、受信中の番組と関連性のある他の番組を放送している放送局があれば、その放送局を代替局としてユーザへ提示することができる。
【００５０】
したがって、放送受信装置１は、受信中の放送の受信品質が不良になる場合に、受信中の番組と同一の番組を放送中の代替局がなくても、受信中の番組と関連性のある他の番組を放送中の代替局を提示することにより、ユーザの満足度低下を抑制することができる。なお、放送受信装置１が行う代替局の選択手順の一例については、図４および図５を参照して後述する。
【００５１】
音声受付部１８は、マイク５から入力される電気信号に変換された音声の入力を受け付け、受け付けた音声の内容を認識する処理部である。音声受付部１８は、選局する放送局の切り替えを示す音声の入力を受け付けた場合に、切替先の放送局を指定する情報を切替部１９へ出力する。
【００５２】
切替部１９は、受信部１１に選局させる放送局を切り替える処理を行う処理部である。切替部１９は、音声受付部１８から切替先の放送局を指定する情報が入力された場合に、切替先として指定された放送局を選局させる指令を受信部１１へ出力する。受信部１１は、切替部１９から入力される指令に従い、選局中の放送局に代えて、指定された放送局を選局する。
【００５３】
これにより、放送受信装置１は、ユーザが車両１００を運転中に、音声によって選局する放送局を切り替えることができるので、安全性を向上させることができる。また、放送受信装置１は、車両１００が走行中でない場合、ユーザがタッチパネル機能付きのディスプレイ３１を操作することによっても、選局する放送局を切り替えることが可能である。
【００５４】
なお、ここでは、提示部１７によって代替局をユーザへ提示し、ユーザに切替先の放送局を指定させる場合について説明したが、放送受信装置１は、選択部２０によって選択された代替局を自動的に選局する構成であってもよい。
【００５５】
かかる構成の場合、放送受信装置１は、選択部２０と切替部１９とが接続される。選択部２０は、選局中の放送局以外で選局可能な他の放送局のうち、選局中の放送局の放送に関する放送情報と共通する事項の数が最も多い放送局放送局を代替局として選択する。
【００５６】
そして、選択部２０は、選択した代替局を示す情報（例えば、受信周波数）を切替部１９へ出力する。切替部１９は、選択部２０から入力される代替局を示す情報に基づき、選局する放送局を選択部２０によって選択された代替局へ切り替える。かかる構成の場合、放送受信装置１は、必ずしも提示部１７を備えていなくてもよい。
【００５７】
次に、図３を参照し、放送受信装置１による代替局の探索タイミングおよび提示タイミングの一例について説明する。図３は、実施形態に係る放送受信装置１による代替局の探索タイミングおよび提示タイミングの一例を示す説明図である。
【００５８】
ここでは、放送受信装置１を搭載する車両１００が第１放送局Ａ１の放送エリアＡ１１から第２放送局Ａ２の放送エリアＡ２１へ向かって走行する場合を例に挙げて説明する。なお、以下では、選局中の放送局を現在局と称する。
【００５９】
図３に示すように、放送受信装置１は、車両１００の走行開始当初、現在局から十分に高い受信電界強度で放送を受信中の期間には代替局の探索を行わず、放送エリアＡ１１の端から所定の閾値ＴｈＬ未満となる位置まで接近する場合に、代替局の探索を開始する。ここでの閾値ＴｈＬは、放送エリアＡ１１の中で第１放送局Ａ１から受信する放送の受信電界強度が低下し始めるエリアの端から放送エリアの端までの距離に相当する値であり、予め設定される値である。
【００６０】
これにより、放送受信装置１は、放送エリアＡ１１の端から所定の閾値ＴｈＬ未満となる位置まで接近するまで、探索部１４、放送情報取得部１６、および判定部１５の動作を停止させることができるので、装置全体の処理負荷を低減することができる。
【００６１】
その後、放送受信装置１は、車両１００が放送エリアＡ１１の端にさらに接近し、受信中の放送の受信電界強度が所定の閾値ＴｈＷ未満になると、現在位置で選局可能な代替局に関する代替局情報の提示を開始する。ここでの閾値ＴｈＷは、放送の視聴が困難になる受信電界強度に相当する値であり、予め設定される値である。
【００６２】
これにより、放送受信装置１は、ユーザが放送を問題なく視聴できているにも関わらず、代替局情報を提示してしまい、ユーザの満足度が低下することを抑制することができる。そして、放送受信装置１は、視聴に問題が生じてユーザが代替局を必要とする状況になった場合に、代替局情報の提供を行うことができる。
【００６３】
次に、図４および図５を参照し、放送受信装置１が行う代替局の選択手順の一例について説明する。図４および図５は、実施形態に係る放送受信装置１が取得する放送情報の一例を示す説明図である。ここでは、現在局の放送に関する放送情報を現在局放送情報と称し、第１〜第４の代替局の放送に関する放送情報を、それぞれ第１代替局放送情報、第２代替局放送情報、第３代替局放送情報、および第４代替局放送情報と称する。
【００６４】
図４および図５に示すように、放送受信装置１は、現在局および選局可能な各代替局から放送情報として、放送番組、放送系列、放送のジャンル、および放送内容を取得する。なお、放送受信装置１が取得する放送情報は、これらに限定されるものではなく、各放送局の放送に関する情報であれば、他の情報をさらに含んでもよい。
【００６５】
放送受信装置１は、選局中の現在局の他に、選局可能な代替局が４局ある場合、例えば、図４に示す現在局放送情報、第１代替局放送情報、第２代替局放送情報、第３代替局放送情報、および第４代替局放送情報を取得することがある。
【００６６】
かかる場合、放送受信装置１は、現在局放送情報と４つの代替局放送情報とを比較し、双方で共通する事項を検出する。ここで、現在局放送情報における放送番組と、第１代替局放送情報における放送番組とは、同一である。このため、当然ながら、双方の放送情報に含まれる放送系列、ジャンル、および放送内容も同一である。したがって、現在局放送情報と第１代替局放送情報とに共通する事項の数は、４となる。
【００６７】
一方、現在放送局情報と第２代替局放送情報とに共通する事項は、放送系列およびジャンルの２つである。また、現在局放送情報と第３代替局放送情報とに共通する事項は、ジャンルの１つである。また、現在局放送情報と第４代替局放送情報とに共通する事項の数は、０である。
【００６８】
このため、放送受信装置１は、共通する事項の数が最も多い第１代替局情報を取得した放送波を発信する第１代替局を優先的に提示する。なお、代替局の提示方法の一例については、図６を参照して後述する。
【００６９】
これにより、放送受信装置１は、受信中の番組と同一の番組を放送中の第１代替局への切り替えを促すことができるので、選局する放送局の切り替えによるユーザの満足度低下を防止することができる。なお、放送受信装置１は、切り替え前の番組と、切り替え後の番組とが同一の場合、代替局に関する情報の提示を行わず、自動的に選局する放送局の切り替えを行うこともできる。これにより、放送受信装置１は、放送エリアが変わっても、ユーザの手を煩わせることなく、ユーザに同一の番組を継続して視聴させることができる。
【００７０】
また、放送受信装置１は、図４に示す代替局情報のうち、第１代替局放送情報を取得しない場合もある。かかる場合、放送受信装置１は、第２代替局放送情報、第３代替局放送情報、および第４代替局放送情報のうち、現在局放送情報と共通する事項の数が最も多い第２代替局放送情報を取得した放送波を発信する第２代替局を優先的に提示する。
【００７１】
現在局と第２代替局とでは、放送番組および内容が異なるが、放送系列が同一であり、しかも、ジャンルが双方ともニュースで同一であるため、例えば、ローカルニュースが放送される時間帯以外は、同一の全国ニュースを報じる可能性が高い。したがって、放送受信装置１は、受信中の番組と同一の番組を放送中の代替局が存在しない場合であっても、同一のニュースを放送する可能性の高い第２代替局を優先的に提示することによって、ユーザの満足度低下を抑制することができる。
【００７２】
また、放送受信装置１は、図４に示す代替局情報のうち、第１代替局放送情報および第２代替局放送情報を取得しない場合もある。かかる場合、放送受信装置１は、第３代替局放送情報および第４代替局放送情報のうち、現在局放送情報と共通する事項の数が多い第３代替局放送情報を取得した放送波を発信する第３代替局を優先的に提示する。
【００７３】
現在局と第３代替局とでは、放送番組、放送系列、および放送内容が異なるが、ジャンルが双方ともニュースで同一であるため、視聴中の内容が、例えば、重大なニュースであれば、別のニュース番組でも、番組中で放送される可能性が高い。したがって、放送受信装置１は、ユーザが視聴中のニュースと関連するニュースを放送する可能性の高い第３代替局を優先的に提示することによって、ユーザの満足度低下を抑制することができる。
【００７４】
また、放送受信装置１は、図４に示す代替局情報のうち、第１代替局放送情報、第２代替局放送情報、および第３代替局放送情報を取得しない場合もある。かかる場合、放送受信装置１は、第４代替局を提示する。これにより、放送受信装置１は、ユーザが放送を視聴できない期間を極力短時間に抑えることによって、ユーザの満足度低下を抑制することができる。
【００７５】
また、放送受信装置１は、図５に示す現在局放送情報、第１代替局放送情報、第２代替局放送情報、および第３代替局放送情報を取得することがある。かかる場合、放送受信装置１は、現在局放送情報と３つの代替局放送情報とを比較し、双方で共通する事項を検出する。
【００７６】
ここで、現在局放送情報における放送番組と、第１代替局放送情報における放送番組とは、同一である。このため、当然ながら、双方の放送情報に含まれる放送系列、ジャンル、および放送内容も同一である。したがって、現在局放送情報と第１代替局放送情報とに共通する事項の数は、４となる。
【００７７】
一方、現在放送局情報と第２代替局放送情報とに共通する事項は、ジャンルおよび放送内容の２つである。また、現在局放送情報と第３代替局放送情報とに共通する事項の数は、０である。
【００７８】
このため、放送受信装置１は、共通する事項の数が最も多い第１代替局放送情報を取得した放送波を発信する第１代替局を優先的に提示する。これにより、放送受信装置１は、受信中の番組と同一の番組を放送中の第１代替局への切り替えを促すことができるので、選局する放送局の切り替えによるユーザの満足度低下を防止することができる。
【００７９】
また、放送受信装置１は、図５に示す代替局情報のうち、第１代替局放送情報を取得しない場合もある。かかる場合、放送受信装置１は、第２代替局放送情報および第３代替局放送情報のうち、現在局放送情報と共通する事項の数が多い第２代替局放送情報を取得した放送波を発信する第２代替局を優先的に提示する。
【００８０】
ここで、現在局は、テレビ局であり、第２代替局は、ラジオ局である。つまり、現在局と第２代替局とでは、放送メディアが異なる。しかし、現在局および第２代替局は、Ｇチーム対Ｔチーム戦という同一試合の野球中継を放送している。
【００８１】
したがって、放送受信装置１は、受信中の野球のテレビ中継と同一試合のラジオ中継を放送している第２代替局を優先的に提示することによって、ユーザの満足度低下を抑制することができる。
【００８２】
また、放送受信装置１は、図５に示す代替局情報のうち、第１代替局放送情報および第２代替局放送情報を取得しない場合もある。かかる場合、放送受信装置１は、第３代替局放送情報を取得した放送波を発信する第３代替局を優先的に提示する。
【００８３】
現在局と第３代替局とでは、放送番組、放送系列、およびジャンルが異なるが、放送内容が双方ともスポーツで同一である。このため、第３代替局で放送中のニュースでは、現在局で放送中の野球中継の途中経過や結果等が放送される可能性がある。
【００８４】
したがって、放送受信装置１は、ユーザが視聴中の野球中継と関連するニュースを放送する可能性のある第３代替局を優先的に提示することによって、ユーザの満足度低下を抑制することができる。なお、放送受信装置１は、選局可能な代替局を検出することができない場合、ＡＶ（Audio  Video）ソースを切り替える。例えば、放送受信装置１は、テレビ放送の受信品質が不良になる場合に、代替局を検出することができなければ、ＣＤまたはＣＶＤに記録された音声や映像を出力させる。
【００８５】
次に、図６を参照し、放送受信装置１による代替局の提示態様および放送局の切り替え態様の一例について説明する。図６は、実施形態に係る放送受信装置１による代替局の提示態様および放送局の切り替え態様の一例を示す説明図である。
【００８６】
図６に（ａ）で示すように、放送受信装置１は、例えば、天気予報の受信中に車両１００が走行に伴って放送の受信品質が不良になり、視聴が困難になると、代替局を探索して提示する。例えば、放送受信装置は、「放送エリアが変わります。選局可能局の放送を１０秒ずつ出力しますので、選局してください。３ｃｈ：明日の○○地方は、晴れ・・・、１Ｃｈ：３回の裏、２アウト満塁で・・・、５Ｃｈ：・・・」という音声メッセージを出力する。
【００８７】
その後、放送受信装置１は、図６に（ｂ）で示すように、例えば、ユーザが「３Ｃｈ」と、音声によるチャンネルの選択操作を行うと、図６に（ｃ）で示すように、放送局を３Ｃｈに切り替えて、天気予報の放送を受信する。
【００８８】
このように、放送受信装置１は、音声によって代替局の提示を行い、ユーザの音声による切り替え操作によって、放送局の切り替えを行う。これにより、ユーザは、目をディスプレイ３１に向けることなく、代替局の提示を受けることができ、手を使うことなく、放送局の切り替えを行うことができる。したがって、放送受信装置１は、ユーザが車両１００を運転中であっても、代替局の提示および放送局の切り替えを安全に行うことができる。
【００８９】
次に、図７を参照し、放送受信装置１が実行する処理について説明する。図７は、実施形態に係る放送受信装置１が実行する処理を示すフローチャートである。放送受信装置１は、放送を受信している間、図７に示す処理を所定周期で繰り返し実行する。
【００９０】
具体的には、図７に示すように、放送受信装置１は、放送の受信を開始すると、まず、ナビゲーション装置４から現在位置付近の放送エリアに関するエリア情報を取得し（ステップＳ１０１）、その後、ナビゲーション装置４から現在位置を示す位置情報を取得する（ステップＳ１０２）。
【００９１】
続いて、放送受信装置１は、現在位置が放送エリアの端に接近したか否かを判定する（ステップＳ１０３）。ここで、放送受信装置１は、放送エリアの端までの距離が所定の閾値ＴｈＬ未満になった場合に、放送エリアの端に接近したと判定する。
【００９２】
そして、放送受信装置１は、放送エリアの端に接近していないと判定した場合（ステップＳ１０３，Ｎｏ）、処理をステップＳ１０１へ移す。また、放送受信装置１は、放送エリアの端に接近していると判定した場合（ステップＳ１０３，Ｙｅｓ）、代替局の探索および受信品質の判定を開始する（ステップＳ１０４）。
【００９３】
続いて、放送受信装置１は、代替局があるか否かを判定し（ステップＳ１０５）、代替局がないと判定した場合（ステップＳ１０５，Ｎｏ）、ＡＶソースを切り替えて（ステップＳ１１３）、処理をステップＳ１０５へ移す。
【００９４】
また、放送受信装置１は、代替局があると判定した場合（ステップＳ１０５，Ｙｅｓ）、現在局から受信する放送波および代替局から受信する放送波から放送情報を取得する（ステップＳ１０６）。そして、放送受信装置１は、現在局放送情報と代替局放送情報とを比較し、共通する事項の数に基づいて、提示代替局を決定する（ステップＳ１０７）。
【００９５】
続いて、放送受信装置１は、受信中の放送の受信品質が不良になるか否かの判定を行い（ステップＳ１０８）、受信品質が不良にならないと判定した場合（ステップＳ１０８，Ｎｏ）、処理をステップＳ１０１へ移す。
【００９６】
また、放送受信装置１は、受信品質が不良になると判定した場合（ステップＳ１０８，Ｙｅｓ）、現在局から代替局への切り替え前後の放送番組は同一か否かの判定を行う（ステップＳ１０９）。そして、放送受信装置１は、切り替え前後の放送番組は同一と判定した場合（ステップＳ１０９，Ｙｅｓ）、処理をステップＳ１１２へ移す。
【００９７】
また、放送受信装置１は、切り替え前後の放送は同一でないと判定した場合（ステップＳ１０９，Ｎｏ）、代替局に関する代替局情報の提示を行い（ステップＳ１１０）、ユーザによる代替局選択操作があるか否かを判定する（ステップＳ１１１）。
【００９８】
そして、放送受信装置１は、代替局選択操作がないと判定した場合（ステップＳ１１１，Ｎｏ）、処理をステップＳ１０８へ移す。また、放送受信装置１は、代替局選択操作があると判定した場合（ステップＳ１１１，Ｙｅｓ）、代替局への切り替えを行い（ステップＳ１１２）、処理を終了する。
【００９９】
上述したように、実施形態に係る放送受信装置は、受信部と、探索部と、放送情報取得部と、判定部と、選択部とを備える。受信部は、放送局から放送を受信する。探索部は、
受信部によって選局中の放送局以外に選局可能な代替局を探索する。
【０１００】
放送情報取得部は、選局中の放送局の放送に関する放送情報および探索部によって探索される代替局の放送に関する放送情報を取得する。判定部は、受信部によって受信される放送の受信品質の良否を判定する。
【０１０１】
選択部は、判定部によって受信品質が不良になると判定される場合に、放送情報取得部によって取得される放送局の放送に関する放送情報と代替局の放送に関する放送情報とに共通する事項の数に基づいて、代替局を少なくとも１つ選択する。
【０１０２】
これにより、放送受信装置は、受信中の放送の受信品質が不良になる場合に、受信中の放送番組と同一の放送番組を放送中の代替局が存在しなくても、ユーザの嗜好に合った代替局を選択することによりって、ユーザの満足度低下を抑制することができる。
【０１０３】
また、実施形態に係る放送受信装置の放送情報取得部は、放送情報として、少なくとも、放送番組を示す情報および放送内容のジャンルを示す情報を取得する。これにより、放送受信装置は、受信中の放送と同一番組や、受信中の放送と同一ジャンルの番組を放送中の代替局を提示することによって、ユーザの満足度低下をさらに抑制することができる。
【０１０４】
また、実施形態に係る放送受信装置の放送情報取得部は、放送媒体が選局中の放送局と同一の代替局の放送に関する放送情報と、放送媒体が選局中の放送局とは異なる代替局の放送に関する放送情報とを取得する。これにより、放送受信装置は、例えば、選局可能なテレビ局およびラジオ局の中から、受信中の番組と最も関連性の高い番組を放送中の代替局を提示することによって、ユーザの満足度低下を抑制することができる。
【０１０５】
また、実施形態に係る受信装置は、選択部によって選択される代替局に関する情報の提示を行う提示部を備える。これにより、放送受信装置は、受信中の放送の受信品質が不良になる場合に、受信中の放送番組と同一の放送番組を放送中の代替局が存在しなくても、ユーザの嗜好に合った代替局をユーザへ提示することによって、ユーザの満足度低下を抑制することができる。
【０１０６】
また、実施形態に係る放送受信装置の提示部は、受信中の放送局の放送と共通する事項の数が多い放送を放送中の代替局に関する情報の提示を優先的に行う。これにより、放送受信装置は、受信中の番組と関連性の高い番組を放送中の代替局を優先的に提示することによって、ユーザの満足度低下を抑制することができる。
【０１０７】
また、実施形態に係る放送受信装置の提示部は、判定部によって受信品質が不良になったと判定された場合に、代替局の提示を開始する。これにより、放送受信装置は、受信中の番組の受信品質が不良になっていない状態で、代替局の提示を行うことによるユーザの満足度低下を抑制することができる。
【０１０８】
また、実施形態に係る放送受信装置は、選局中の放送局を代替局へ切り替える切替部をさらに備える。そして、提示部は、放送情報取得部によって取得された放送情報に基づき、選局中の放送局および代替局の放送番組が同一と判定する場合には、提示を行わずに切替部によって放送局を切り替えさせ、選局中の放送局および代替局の放送番組が異なると判定する場合には、提示を行う。
【０１０９】
これにより、放送受信装置は、放送局の切り替え前後で放送番組が変わらないにも関わらず、不必要な代替局の提示を行うことがない。また、放送受信装置は、放送局の切り替え前後で放送番組が変わる場合に、ユーザに無断で放送局の切り替えを行うことを防止することができる。
【０１１０】
また、実施形態に係る放送受信装置は、音声による代替局の選択操作を受付ける音声受付部をさらに備える。そして、切替部は、音声受付部によって選択操作が受付けられる場合に、選局中の放送局を代替局へ切り替える。これにより、放送受信装置は、例えば、車両に搭載される場合に、ユーザが車両を運転中であっても、安全に放送局の切り替えを行わせることができる。
【０１１１】
また、実施形態に係る放送受信装置の提示部は、音声によって代替局の提示を行う。これにより、放送受信装置は、例えば、車両に搭載される場合に、ユーザが車両を運転中であっても、安全に代替局の提示を行うことができる。
【０１１２】
また、実施形態に係る放送受信装置は、選局中の放送局の放送エリアを示すエリア情報を取得するエリア情報取得部と、放送受信装置の現在位置を示す位置情報を取得する位置情報取得部とをさらに備える。そして、探索部は、位置情報取得部によって取得される位置情報が示す現在位置が、エリア情報取得部によって取得されるエリア情報が示す放送エリアの端から所定距離未満となる位置まで接近する場合に、代替局の探索を開始する。これにより、放送受信装置は、放送エリアの端から所定距離未満となる位置まで接近する以前における処理負荷を低減することができる。
【０１１３】
また、実施形態に係る放送受信装置の判定部は、受信部によって受信される放送が重畳される放送波の受信電界強度が所定の閾値未満である場合に、受信品質が不良になると判定し、放送波の受信電界強度が所定の閾値以上である場合に、受信品質が良好であると判定する。これにより、放送受信装置は、放送受信品質を適切に判定することができる。
【０１１４】
なお、上述した実施形態では、放送受信装置とナビゲーション装置とが別体である場合を例に挙げて説明したが、実施形態に係る放送受信装置は、ナビゲーション装置に内蔵されてもよい。また、ナビゲーション装置は、ディスプレイやスピーカを備える構成であってもよい。
【０１１５】
また、実施形態に係る放送受信装置は、代替局に関する情報の提示を音声のみで行うか、音声およびディスプレイへの表示によって行うか、ディスプレイへの表示のみで行うかをユーザが設定する構成であってもよい。
【０１１６】
また、実施形態に係る放送受信装置は、放送局の切り替え操作を音声によって行わせるか、手動操作によって行わせるかをユーザが設定する構成であってもよい。また、実施形態に係る放送受信装置は、ＡＶソースを切り替える場合に、予め設定されるＡＶソースの優先度に基づき、選択するＡＶソースを決定する構成であってもよい。
【０１１７】
また、実施形態に係る放送受信装置は、放送波の受信電界強度に基づいて、放送の受信品質を判定するが、放送波を受信するアンテナの受信電力に基づいて、放送の受信品質を判定する構成であってもよい。
【０１１８】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１１９】
１  放送受信装置
２１，２２  アンテナ
３  出力装置
３１  ディスプレイ
３２  スピーカ
４  ナビゲーション装置
５  マイク
１１  受信部
１２  エリア情報取得部
１３  位置情報取得部
１４  探索部
１５  判定部
１６  放送情報取得部
１７  提示部
１８  音声受付部
１９  切替部
２０  選択部
１００  車両
Ａ１  第１放送局
Ａ２  第２放送局
Ｂ１  第３放送局
Ａ１１，Ａ２１，Ｂ１１  放送エリア
【図１】
2018037774.tif 000003
【図２】
2018037774.tif 000004
【図３】
2018037774.tif 000005
【図４】
2018037774.tif 000006
【図５】
2018037774.tif 000007
【図６】
2018037774.tif 000008
【図７】
2018037774.tif 000009